(57)【要約】【課題】磁性材料のバランスウエイトを用いても磁束の漏れを防止し、バランスウエイトとロータコアとの間に隙間をあけるためのアダプタが不要となり、バランスウエイトをロータコアとの間に隙間を有するように取り付ける手間を省くことができるロータを提供する。【解決手段】第１バランスウエイト５１のロータコア３１への固定位置と、第２バランスウエイト５２のロータコア３１への固定位置とは、互いに異なる磁石６１，６２の異極側に位置している。第１バランスウエイト５１と第２バランスウエイト５２とは、分離している。このため、磁性材料のバランスウエイト５１，５２を用いても、異極間で磁束が短絡せず、磁束の漏れを防止できる。【選択図】図２Ａ
2012139044.tif 000002
【特許請求の範囲】
【請求項１】
ロータコア（３１）と、
上記ロータコア（３１）の内部に周方向に並べて固定されている複数の磁石（６１，６２）と、
上記ロータコア（３１）の軸方向の少なくとも一端面側に取り付けられると共に磁性材料で構成されている複数のバランスウエイト（５１，５２，１５１，１５２，２５１，２５２）と
を備え、
上記ロータコア（３１）の少なくとも一端面側において、第１の上記バランスウエイト（５１，１５１，２５１）の上記ロータコア（３１）への固定位置は、第１の上記磁石（６１）の径方向外側に位置する一方、第２の上記バランスウエイト（５２，１５２，２５２）の上記ロータコア（３１）への固定位置は、第２の上記磁石（６２）の径方向外側に位置し、
上記第１の磁石（６１）の径方向外側の磁極と上記第２の磁石（６２）の径方向外側の磁極とは、互いに異なり、
上記第１のバランスウエイト（５１，１５１，２５１）と上記第２のバランスウエイト（５２，１５２，２５２）とは、互いに分離していることを特徴とするロータ。
【請求項２】
請求項１に記載のロータにおいて、
上記第１の磁石（６１）と上記第２の磁石（６２）とは、互いに隣り合っていることを特徴とするロータ。
【請求項３】
請求項１または２に記載のロータにおいて、
上記第１のバランスウエイト（５１）は、この第１のバランスウエイト（５１）の重心位置で、上記ロータコア（３１）に固定され、
上記第２のバランスウエイト（５２）は、この第２のバランスウエイト（５２）の重心位置で、上記ロータコア（３１）に固定されていることを特徴とするロータ。
【請求項４】
請求項１または２に記載のロータにおいて、
上記第１のバランスウエイト（１５１）は、この第１のバランスウエイト（１５１）の重心位置以外の第１点（Ｓ１）で、上記ロータコア（３１）に固定され、かつ、この第１のバランスウエイト（１５１）の重心位置以外の第２点（Ｓ２）で、上記ロータコア（３１）に位置決めされ、
上記第２のバランスウエイト（１５２）は、この第２のバランスウエイト（１５２）の重心位置以外の第１点（Ｓ１）で、上記ロータコア（３１）に固定され、かつ、この第２のバランスウエイト（１５２）の重心位置以外の第２点（Ｓ２）で、上記ロータコア（３１）に位置決めされていることを特徴とするロータ。
【請求項５】
請求項４に記載のロータにおいて、
上記第１のバランスウエイト（１５１）の上記第１点（Ｓ１）および上記第２点（Ｓ２）は、同一の上記第１の磁石（６１）の径方向外側に位置し、
上記第２のバランスウエイト（１５２）の上記第１点（Ｓ１）および上記第２点（Ｓ２）は、同一の上記第２の磁石（６２）の径方向外側に位置することを特徴とするロータ。
【請求項６】
請求項１または２に記載のロータにおいて、
上記第１のバランスウエイト（２５１）は、この第１のバランスウエイト（２５１）の重心位置以外の第１点（Ｓ１）で、上記ロータコア（３１）に固定され、
上記第２のバランスウエイト（２５２）は、この第２のバランスウエイト（２５２）の重心位置以外の第１点（Ｓ１）で、上記ロータコア（３１）に固定され、
上記第１のバランスウエイト（２５１）および上記第２のバランスウエイト（２５２）は、この第１のバランスウエイト（２５１）の重心位置以外の第２点（Ｓ２）およびこの第２のバランスウエイト（２５２）の重心位置以外の第２点（Ｓ２）で、互いに位置決めされていることを特徴とするロータ。
【請求項７】
請求項１から６の何れか一つに記載のロータ（３０，３０Ａ，３０Ｂ）と、
このロータ（３０，３０Ａ，３０Ｂ）の外周側を囲むように配置されたステータ（４０）と
を備えることを特徴とするモータ。
【請求項８】
密閉容器（１）と、
この密閉容器（１）内に配置された圧縮機構部（２）と、
上記密閉容器（１）内に配置されると共に上記圧縮機構部（２）を回転軸（４）を介して駆動する請求項７に記載のモータ（３）と
を備えることを特徴とする圧縮機。
【発明の詳細な説明】
【技術分野】
【０００１】
この発明は、ロータ、モータおよび圧縮機に関する。
【背景技術】
【０００２】
従来、ロータとしては、ロータコアと、このロータコアの内部に周方向に並べて固定されている複数の磁石と、このロータコアの軸方向の端面に取り付けられると共に磁性材料で構成されているバランスウエイトとを備えたものがある（特開２００９−２２５６３９号公報：特許文献１参照）。
【０００３】
上記バランスウエイトの上記ロータコアへの固定位置は、第１の磁石の径方向外側と、この第１の磁石に隣り合う第２の磁石の径方向外側に位置していた。ここで、第１の磁石の径方向外側の磁極と第２の磁石の径方向外側の磁極とは、互いに異なっているため、磁性材料のバランスウエイトを介して、磁束が漏れる問題があった。この問題に対して、従来のロータでは、アダプタを用いてバランスウエイトをロータコアの端面から離して、磁束の漏れを防止していた。
【０００４】
しかしながら、上記従来のロータでは、バランスウエイトとロータコアとの間に隙間をあけるためのアダプタが必要となって、部品数が多くなる問題があった。また、バランスウエイトをロータコアとの間に隙間を有するように取り付ける手間があって、作業性が劣る問題があった。また、バランスウエイトとロータコアとの間に隙間をあけたとしても、磁性材料のバランスウエイトは、互いに異なる磁石の異極間を跨いで設けられているため、異極間で磁束が短絡して、磁束の漏れを確実に防ぐことができなかった。
【先行技術文献】
【特許文献】
【０００５】
【特許文献１】特開２００９−２２５６３９号公報
【発明の概要】
【発明が解決しようとする課題】
【０００６】
そこで、この発明の課題は、磁性材料のバランスウエイトを用いても磁束の漏れを防止し、バランスウエイトとロータコアとの間に隙間をあけるためのアダプタが不要となり、バランスウエイトをロータコアとの間に隙間を有するように取り付ける手間を省くことができるロータ、このロータを有するモータ、および、このモータを有する圧縮機を提供することにある。
【課題を解決するための手段】
【０００７】
上記課題を解決するため、この発明のロータは、
ロータコアと、
上記ロータコアの内部に周方向に並べて固定されている複数の磁石と、
上記ロータコアの軸方向の少なくとも一端面側に取り付けられると共に磁性材料で構成されている複数のバランスウエイトと
を備え、
上記ロータコアの少なくとも一端面側において、第１の上記バランスウエイトの上記ロータコアへの固定位置は、第１の上記磁石の径方向外側に位置する一方、第２の上記バランスウエイトの上記ロータコアへの固定位置は、第２の上記磁石の径方向外側に位置し、
上記第１の磁石の径方向外側の磁極と上記第２の磁石の径方向外側の磁極とは、互いに異なり、
上記第１のバランスウエイトと上記第２のバランスウエイトとは、互いに分離していることを特徴としている。
【０００８】
この発明のロータによれば、上記第１バランスウエイトの上記ロータコアへの固定位置と、上記第２バランスウエイトの上記ロータコアへの固定位置とは、互いに異なる磁石の異極側に位置しているが、第１バランスウエイトと第２バランスウエイトとは、分離しているため、磁性材料の第１、第２バランスウエイトを用いても、異極間で磁束が短絡せず、磁束の漏れを防止できる。また、第１、第２バランスウエイトとロータコアとの間に隙間をあけるためのアダプタが不要となって、部品数を削減できる。また、第１、第２バランスウエイトをロータコアとの間に隙間を有するように取り付ける手間を省くことができて、作業性が向上する。
【０００９】
また、一実施形態のロータでは、上記第１の磁石と上記第２の磁石とは、互いに隣り合っている。
【００１０】
この実施形態のロータによれば、上記第１の磁石と上記第２の磁石とは、互いに隣り合っているので、第１、第２のバランスウエイトを隣り合う磁石の径方向外側に固定できて、第１、第２のバランスウエイトのモーメントを有効に作用させることができる。
【００１１】
また、一実施形態のロータでは、
上記第１のバランスウエイトは、この第１のバランスウエイトの重心位置で、上記ロータコアに固定され、
上記第２のバランスウエイトは、この第２のバランスウエイトの重心位置で、上記ロータコアに固定されている。
【００１２】
この実施形態のロータによれば、上記第１、上記第２のバランスウエイトのそれぞれを、各バランスウエイトの重心位置である一点でロータコアに固定できて、ロータコアが回転しても、第１、第２バランスウエイトのそれぞれは、固定位置を中心として、振れ回ることがなく、固定の緩みを防止できる。
【００１３】
また、一実施形態のロータでは、
上記第１のバランスウエイトは、この第１のバランスウエイトの重心位置以外の第１点で、上記ロータコアに固定され、かつ、この第１のバランスウエイトの重心位置以外の第２点で、上記ロータコアに位置決めされ、
上記第２のバランスウエイトは、この第２のバランスウエイトの重心位置以外の第１点で、上記ロータコアに固定され、かつ、この第２のバランスウエイトの重心位置以外の第２点で、上記ロータコアに位置決めされている。
【００１４】
この実施形態のロータによれば、上記第１、上記第２のバランスウエイトのそれぞれは、各第２点でロータコアに位置決めされているので、ロータコアが回転しても、第１、第２バランスウエイトのそれぞれは、第１点を中心として、振れ回ることがなく、第１点の固定の緩みを防止できる。
【００１５】
また、一実施形態のロータでは、
上記第１のバランスウエイトの上記第１点および上記第２点は、同一の上記第１の磁石の径方向外側に位置し、
上記第２のバランスウエイトの上記第１点および上記第２点は、同一の上記第２の磁石の径方向外側に位置する。
【００１６】
この実施形態のロータによれば、上記第１のバランスウエイトの第１点および第２点は、同一の第１の磁石の径方向外側に位置しているので、第１点および第２点は、同一の磁石の同極側に位置しており、第１バランスウエイト自体による磁束の漏れを確実に防ぐことができる。上記第２のバランスウエイトの第１点および第２点は、同一の第２の磁石の径方向外側に位置するので、第１点および第２点は、同一の磁石の同極側に位置しており、第２バランスウエイト自体による磁束の漏れを確実に防ぐことができる。
【００１７】
また、一実施形態のロータでは、
上記第１のバランスウエイトは、この第１のバランスウエイトの重心位置以外の第１点で、上記ロータコアに固定され、
上記第２のバランスウエイトは、この第２のバランスウエイトの重心位置以外の第１点で、上記ロータコアに固定され、
上記第１のバランスウエイトおよび上記第２のバランスウエイトは、この第１のバランスウエイトの重心位置以外の第２点およびこの第２のバランスウエイトの重心位置以外の第２点で、互いに位置決めされている。
【００１８】
この実施形態のロータによれば、上記第１、上記第２のバランスウエイトのそれぞれは、各第２点で互いに位置決めされているので、ロータコアが回転しても、第１、第２バランスウエイトは、第１点を中心として、振れ回ることがなく、第１点の固定の緩みを防止できる。また、互いの第２点を共通部材で位置決めできて部品数を減少できると共に、ロータコアに第２点を位置決めするための場所を設ける必要がなくてロータコアを小型にできる。
【００１９】
また、この発明のモータは、
上記ロータと、
このロータの外周側を囲むように配置されたステータと
を備えることを特徴としている。
【００２０】
この発明のモータによれば、上記ロータを備えるので、磁束漏れのない運転効率のよいモータを実現できる。
【００２１】
また、この発明の圧縮機は、
密閉容器と、
この密閉容器内に配置された圧縮機構部と、
上記密閉容器内に配置されると共に上記圧縮機構部を回転軸を介して駆動する上記モータと
を備えることを特徴としている。
【００２２】
この発明の圧縮機によれば、上記モータを備えるので、磁束漏れのない運転効率のよい圧縮機を実現できる。
【発明の効果】
【００２３】
この発明のロータによれば、上記第１バランスウエイトの上記ロータコアへの固定位置と、上記第２バランスウエイトの上記ロータコアへの固定位置とは、互いに異なる磁石の異極側に位置しているが、第１バランスウエイトと第２バランスウエイトとは、分離しているため、磁性材料のバランスウエイトを用いても磁束の漏れを防止し、第１、第２バランスウエイトとロータコアとの間に隙間をあけるためのアダプタが不要となり、第１、第２バランスウエイトをロータコアとの間に隙間を有するように取り付ける手間を省くことができる。
【００２４】
この発明のモータによれば、上記ロータを備えるので、磁束漏れのない運転効率のよいモータを実現できる。
【００２５】
この発明の圧縮機によれば、上記モータを備えるので、磁束漏れのない運転効率のよい圧縮機を実現できる。
【図面の簡単な説明】
【００２６】
【図１】本発明の圧縮機の一実施形態を示す縦断面図である。
【図２Ａ】本発明のロータの第１実施形態を示す平面図である。
【図２Ｂ】図２Ａの側面図である。
【図３Ａ】本発明のロータの第２実施形態を示す平面図である。
【図３Ｂ】図３ＡのＸ−Ｘ断面図である。
【図４Ａ】本発明のロータの第３実施形態を示す平面図である。
【図４Ｂ】図４Ａの側面図である。
【発明を実施するための形態】
【００２７】
以下、この発明を図示の実施の形態により詳細に説明する。
【００２８】
（第１の実施形態）
図１は、この発明の圧縮機の一実施形態である縦断面図を示している。この圧縮機は、密閉容器１と、この密閉容器１内に配置された圧縮機構部２およびモータ３とを備えている。この圧縮機は、ロータリ圧縮機である。
【００２９】
上記密閉容器１の下側側方に、吸入管１１を接続する一方、密閉容器１の上側に吐出管１２を接続している。上記吸入管１１から供給される冷媒ガスは、上記圧縮機構部２の吸込側に導かれる。この冷媒は、例えば、二酸化炭素やＲ４１０ＡやＲ２２である。
【００３０】
上記モータ３は、上記圧縮機構部２の上側に配置され、上記圧縮機構部２を回転軸４を介して駆動する。上記モータ３は、上記圧縮機構部２から吐出された高圧の冷媒ガスが満たされる上記密閉容器１内の高圧領域に配置されている。
【００３１】
上記圧縮機構部２は、シリンダ状の本体部２０と、この本体部２０の上下の開口端のそれぞれに取り付けられた上端部８および下端部９とを備える。
【００３２】
上記回転軸４は、上端部８および下端部９を貫通して、本体部２０の内部に挿入されている。上記回転軸４は、圧縮機構部２の上端部８に設けられた軸受２１と、圧縮機構部２の下端部９に設けられた軸受２２により回転自在に支持されている。
【００３３】
上記本体部２０内の回転軸４にクランクピン５が設けられ、このクランクピン５に嵌合されて駆動されるピストン６とそれに対応するシリンダとの間に形成された圧縮室７により圧縮を行う。ピストン６は、偏芯した状態で回転し、または、公転運動を行い、圧縮室７の容積を変化させる。
【００３４】
上記モータ３は、上記回転軸４に固定された円筒形状のロータ３０と、上記ロータ３０の外周側を囲むように配置されたステータ４０とを有する。上記ステータ４０は、上記ロータ３０の径方向外側にエアギャップを介して配置されている。つまり、上記モータ３は、インナーロータ型のモータである。
【００３５】
上記ステータ４０は、ステータコア４１と、このステータコア４１に巻回されたコイル４２とを有する。
【００３６】
図１、図２Ａおよび図２Ｂに示すように、上記ロータ３０は、ロータコア３１と、ロータコア３１の内部に周方向に並べて固定されている複数の磁石６１，６２と、ロータコア３１の軸方向の両端面側のそれぞれに取り付けられる複数のバランスウエイト５１，５２とを有する。
【００３７】
上記ロータコア３１の両端面のそれぞれには、順に、端板３６とバランスウエイト５１，５２とが取り付けられている。ロータコア３１、端板３６およびバランスウエイト５１，５２は、リベット３３によって、一体に固定されている。
【００３８】
上記ロータコア３１は、積層された複数の電磁鋼板から構成され、円柱状に形成される。ロータコア３１は、軸挿通孔部３１ａと磁石挿入孔部３１ｂと空隙部３１ｃとを有する。軸挿通孔部３１ａは、断面円形状に形成され、回転軸４が嵌め込まれる。磁石挿入孔部３１ｂは、断面矩形状に形成され、４つの磁石挿入孔部３１ｂが、軸挿通孔部３１ａの周りで正方形の各辺部をなすように配置される。空隙部３１ｃは、各磁石挿入孔部３１ｂの円周方向の両端から径方向外側に外周縁近くまで延びるように設けられている。
【００３９】
上記磁石６１，６２は、希土類磁石から構成され、矩形板状に形成される。各磁石挿入孔部３１ｂには、１つの磁石６１，６２が嵌め込まれており、ロータコア３１には、４つの磁石６１，６２が固定されている。周方向に隣り合う１対の磁石６１，６２において、第１の磁石６１の径方向外側の磁極と第２の磁石６２の径方向外側の磁極とは、互いに異なる。
【００４０】
上記複数のバランスウエイト５１，５２は、鉄などの磁性材料で構成されている。このため、ステンレスや真鍮などの非磁性材料に比べて、安価にできる。
【００４１】
上記ロータコア３１の上端面（一端面）側には、２つのバランスウエイト５１，５２が取り付けられている。このバランスウエイト５１，５２は、平面視円形状である。第１のバランスウエイト５１のロータコア３１への固定位置は、第１の磁石６１の径方向外側に位置する。第２のバランスウエイト５２のロータコア３１への固定位置は、第２の磁石６２の径方向外側に位置する。第１の磁石６１と第２の磁石６２とは、互いに隣り合っている。
【００４２】
上記第１のバランスウエイト５１と上記第２のバランスウエイト５２とは、互いに分離している。つまり、第１、第２のバランスウエイト５１，５２は、一体に連続しておらず、異極間で磁束が短絡しない。
【００４３】
上記第１のバランスウエイト５１は、この第１のバランスウエイト５１の重心位置で、リベット３３によりロータコア３１に固定されている。上記第２のバランスウエイト５２は、この第２のバランスウエイト５２の重心位置で、リベット３３によりロータコア３１に固定されている。
【００４４】
なお、ロータコア３１の下端面（他端面）側においても同様の構成であるので、説明を省略する。
【００４５】
上記構成のロータ３０によれば、上記第１バランスウエイト５１の上記ロータコア３１への固定位置と、上記第２バランスウエイト５２の上記ロータコア３１への固定位置とは、互いに異なる磁石６１，６２の異極側に位置しているが、第１バランスウエイト５１と第２バランスウエイト５２とは、分離しているため、磁性材料の第１、第２バランスウエイト５１，５２を用いても、異極間で磁束が短絡せず、磁束の漏れを防止できる。また、第１、第２バランスウエイト５１，５２とロータコア３１（端板３６）との間に隙間をあけるためのアダプタが不要となって、部品数を削減できる。また、第１、第２バランスウエイト５１，５２をロータコア３１（端板３６）との間に隙間を有するように取り付ける手間を省くことができて、作業性が向上する。
【００４６】
また、上記第１の磁石６１と上記第２の磁石６２とは、互いに隣り合っているので、第１、第２のバランスウエイト５１，５２を隣り合う磁石６１，６２の径方向外側に固定できて、第１、第２のバランスウエイト５１，５２のモーメントを有効に作用させることができる。
【００４７】
また、上記第１、上記第２バランスウエイト５１，５２のそれぞれを、各バランスウエイト５１，５２の重心位置である一点でロータコア３１に固定できて、ロータコア３１が回転しても、第１、第２バランスウエイト５１，５２のそれぞれは、固定位置を中心として、振れ回ることがなく、固定の緩みを防止できる。
【００４８】
上記構成のモータによれば、上記ロータ３０を備えるので、磁束漏れのない運転効率のよいモータを実現できる。
【００４９】
上記構成の圧縮機によれば、上記モータ３を備えるので、磁束漏れのない運転効率のよい圧縮機を実現できる。
【００５０】
（第２の実施形態）
図３Ａと図３Ｂは、この発明のロータの第２の実施形態を示している。上記第１の実施形態と相違する点を説明すると、この第２の実施形態では、バランスウエイトの構成が相違する。なお、上記第１の実施形態と同一の符号は、上記第１の実施形態と同じ構成であるため、その説明を省略する。
【００５１】
図３Ａと図３Ｂに示すように、ロータ３０Ａにおいて、第１の磁石６１の径方向外側に配置された第１のバランスウエイト１５１と、第２の磁石６２の径方向外側に配置された第２のバランスウエイト１５２とは、平面視矩形状である。
【００５２】
上記第１のバランスウエイト１５１は、第１のバランスウエイト１５１の重心位置以外の第１点Ｓ１で、ロータコア３１に固定され、かつ、第１のバランスウエイト１５１の重心位置以外の第２点Ｓ２で、ロータコア３１に位置決めされている。
【００５３】
上記第１のバランスウエイト１５１の第１点Ｓ１および第２点Ｓ２は、同一の第１の磁石６１の径方向外側に位置している。
【００５４】
上記第１のバランスウエイト１５１の第１点Ｓ１は、リベット３３により構成されている。上記第１のバランスウエイト１５１の第２点Ｓ２は、第１のバランスウエイト１５１の突起部１５１ａにより構成され、この突起部１５１ａは、ロータコア３１の孔部に、回転自在に嵌め込まれている。
【００５５】
上記第２のバランスウエイト１５２は、第２のバランスウエイト１５２の重心位置以外の第１点Ｓ１で、ロータコア３１に固定され、かつ、第２のバランスウエイト１５２の重心位置以外の第２点Ｓ２で、ロータコア３１に位置決めされている。
【００５６】
上記第２のバランスウエイト１５２の第１点Ｓ１および第２点Ｓ２は、同一の第２の磁石６２の径方向外側に位置している。
【００５７】
上記第２のバランスウエイト１５２の第１点Ｓ１は、リベット３３により構成されている。上記第２のバランスウエイト１５２の第２点Ｓ２は、第２のバランスウエイト１５２の突起部１５２ａにより構成され、この突起部１５２ａは、ロータコア３１の孔部に、回転自在に嵌め込まれている。
【００５８】
上記構成のロータ３０Ａによれば、上記第１の実施形態の効果に加えて、上記第１、上記第２のバランスウエイト１５１，１５２のそれぞれは、各第２点Ｓ２でロータコア３１に位置決めされているので、ロータコア３１が回転しても、第１、第２バランスウエイト１５１，１５２のそれぞれは、第１点Ｓ１を中心として、振れ回ることがなく、第１点Ｓ１の固定の緩みを防止できる。
【００５９】
また、上記第１のバランスウエイト１５１の第１点Ｓ１および第２点Ｓ２は、同一の第１の磁石６１の径方向外側に位置しているので、第１点Ｓ１および第２点Ｓ２は、同一の磁石６１の同極側に位置しており、第１バランスウエイト１５１自体による磁束の漏れを確実に防ぐことができる。
【００６０】
また、上記第２のバランスウエイト１５２の第１点Ｓ１および第２点Ｓ２は、同一の第２の磁石６２の径方向外側に位置しているので、第１点Ｓ１および第２点Ｓ２は、同一の磁石６２の同極側に位置しており、第２バランスウエイト１５２自体による磁束の漏れを確実に防ぐことができる。
【００６１】
（第３の実施形態）
図４Ａと図４Ｂは、この発明のロータの第３の実施形態を示している。上記第１の実施形態と相違する点を説明すると、この第３の実施形態では、バランスウエイトの構成が相違する。なお、上記第１の実施形態と同一の符号は、上記第１の実施形態と同じ構成であるため、その説明を省略する。
【００６２】
図４Ａと図４Ｂに示すように、ロータ３０Ｂにおいて、第１の磁石６１の径方向外側に配置された第１のバランスウエイト２５１は、第２の磁石６２の径方向外側に配置された第２のバランスウエイト２５２に向かって延びる第１の延在部２５１ａを有し、第２のバランスウエイト２５２は、第１のバランスウエイト２５１に向かって延びる第２の延在部２５２ａを有する。
【００６３】
上記第１の延在部２５１ａの先端と上記第２の延在部２５２ａの先端とは、平面視、重なっている。第２の延在部２５２ａの先端には、ピン部２５２ｂが設けられ、このピン部２５２ｂは、第１の延在部２５１ａの孔部に、回転自在に嵌め込まれている。少なくともピン部２５２ｂは、非磁性材料で構成されている。
【００６４】
上記第１のバランスウエイト２５１は、第１のバランスウエイト２５１の重心位置以外の第１点Ｓ１で、ロータコア３１に固定されている。つまり、第１のバランスウエイト２５１の第１点Ｓ１は、リベット３３により構成されている。
【００６５】
上記第２のバランスウエイト２５２は、第２のバランスウエイト２５２の重心位置以外の第１点Ｓ１で、ロータコア３１に固定されている。つまり、第２のバランスウエイト２５２の第２点Ｓ２は、リベット３３により構成されている。
【００６６】
上記第１のバランスウエイト２５１および上記第２のバランスウエイト２５２は、第１のバランスウエイト２５１の重心位置以外の第２点Ｓ２および第２のバランスウエイト２５２の重心位置以外の第２点Ｓ２で、互いに位置決めされている。つまり、第１のバランスウエイト２５１の第２点Ｓ２は、第１の延在部２５１ａの孔部により構成され、第２のバランスウエイト２５２の第２点Ｓ２は、第２の延在部２５２ａのピン部２５２ｂにより構成されている。
【００６７】
上記構成のロータ３０Ｂによれば、上記第１の実施形態の効果に加えて、上記第１、上記第２のバランスウエイト２５１，２５２のそれぞれは、各第２点Ｓ２で互いに位置決めされているので、ロータコア３１が回転しても、第１、第２バランスウエイト２５１，２５２は、第１点Ｓ１を中心として、振れ回ることがなく、第１点Ｓ１の固定の緩みを防止できる。また、互いの第２点Ｓ２を共通部材で位置決めできて部品数を減少できると共に、ロータコア３１に第２点Ｓ２を位置決めするための場所を設ける必要がなくてロータコア３１を小型にできる。なお、少なくともピン部２５２ｂは、非磁性材料で構成されているので、異極間で磁束が短絡しない。
【００６８】
なお、この発明は上述の実施形態に限定されない。例えば、上記第１から上記第３の実施形態のそれぞれの特徴点を様々に組み合わせてもよい。また、バランスウエイトをロータコアの少なくとも一端面側に設けてもよい。また、ロータコアの少なくとも一端面側において、３つ以上のバランスウエイトを配置してもよく、このバランスウエイトは、互いに分離されていればよい。
【００６９】
また、バランスウエイトを、隣接した磁石の径方向外側に配置しなくてもよく、離隔した磁石の径方向外側に配置してもよい。また、圧縮機構部として、ロータリタイプ以外に、スクロールタイプやレシプロタイプを用いてもよい。
【符号の説明】
【００７０】
１  密閉容器
２  圧縮機構部
３  モータ
４  回転軸
３０，３０Ａ，３０Ｂ  ロータ
３１  ロータコア
３１ａ  孔部
３３  リベット
３６  端板
４０  ステータ
４１  ステータコア
４２  コイル
５１，１５１，２５１  第１のバランスウエイト
５２，１５２，２５２  第２のバランスウエイト
６１  第１の磁石
６２  第２の磁石
Ｓ１  第１点
Ｓ２  第２点
【図１】
2012139044.tif 000003
【図２Ａ】
2012139044.tif 000004
【図２Ｂ】
2012139044.tif 000005
【図３Ａ】
2012139044.tif 000006
【図３Ｂ】
2012139044.tif 000007
【図４Ａ】
2012139044.tif 000008
【図４Ｂ】
2012139044.tif 000009